(57)【要約】      （修正有）【課題】防塵機能を有し、簡単な構造で、組込が容易で、接続の確認が外部から容易に行えるハーネスジョイントボックスを提供する。【解決手段】ハーネスジョイントボックスの電線差込確認用のマーカー７の出没機構は、基部と環状挿通部とマーカー用コイルスプリング部とピン部とを合成樹脂で一体に形成したものであり、更に、スライド用突起９ａがスライド用溝１ａｄの下方に位置するとシャッター部材９はシャッター挿通孔１ａｃの中で起立状態となり電線挿通孔３を閉鎖し、上方に位置するとシャッター部材９は水平状態となりシャッター挿通孔１ａｃを閉鎖すると共に、シャッター部材９は水平状態で電線被覆材の着色を確認するように透明の合成樹脂で形成している。【選択図】図１
0003156349.tif 000002
【実用新案登録請求の範囲】
【請求項１】
ハーネスジョイントボックスにおいて、電線差込確認用のマーカーの出没機構は、平板状の基部と、該基部の両端と中央に夫々形成した環状挿通部と、該夫々の環状挿通部と同芯状に一端を接続させた夫々のマーカー用コイルスプリング部と、該夫々のマーカー用コイルスプリング部の他端と夫々接続させ前記環状挿通部と前記マーカー用コイルスプリング部の内周に遊動状態で延設した夫々のピン部とを備え、前記基部と前記夫々の環状挿通部と前記夫々のマーカー用コイルスプリング部と前記夫々のピン部とを合成樹脂で一体に形成したことを特徴とするハーネスジョイントボックス。
【請求項２】
ハーネスジョイントボックスにおいて、電線差込確認用のマーカーの出没機構は、平板状の基部と、該基部の両端と中央に夫々形成した環状挿通部と、該夫々の環状挿通部と同芯状に一端を接続させた夫々のマーカー用コイルスプリング部とを備え、前記夫々のマーカー用コイルスプリング部と前記環状挿通部とに夫々マーカーピンを遊動状態で挿通すると共に、前記基部と前記夫々の環状挿通部と前記夫々のマーカー用コイルスプリング部とを合成樹脂で一体に形成したことを特徴とするハーネスジョイントボックス。
【請求項３】
ハーネスジョイントボックスにおいて、電線を挿通させる電線挿通孔の上面に下方に窪ませて形成した段部と、該段部の後方に開口させた矩形状のシャッター挿通孔と、該シャッター挿通孔の両側面の上下方向に夫々刻設したスライド用溝と、該夫々のスライド用溝にスライド自在に挿通させた略板状のシャッター部材の両側に夫々突設したスライド用突起と、前記シャッター部材に形成した前記段部の前端部に係止する係止片とを備え、前記スライド用突起が前記スライド用溝の下方に位置すると前記シャッター部材はシャッター挿通孔の中で起立状態となり前記電線挿通孔を閉鎖し、前記スライド用突起が前記スライド用溝の上方に位置すると枢動して前記シャッター部材は水平状態となり前記シャッター挿通孔を閉鎖すると共に、前記シャッター部材は水平状態で電線被覆材の着色を確認するように透明の合成樹脂で形成していることを特徴とするハーネスジョイントボックス。
【考案の詳細な説明】
【技術分野】
【０００１】
本考案はハーネスジョイントボックスに関するものであって、更に詳細には、ハーネスジョイントボックスにおいて電線を差込むことによりワンタッチで電気的接続をし、その接続を確認するマーカーと、電線の非挿通時に電線挿通孔を遮蔽すると共に、挿通時には挿通状態が確認できるシャッターに関するものである。
【背景技術】
【０００２】
従来から、これ等のハーネスジョイントボックスにおいて、結線状態を外から確認するものや、電線挿通孔を遮蔽できるシャッターは開発されて使用されている。
【先行技術文献】
【特許文献】
【０００３】
【特許文献１】特開平９−２８３１９２号公報  例えば、筐体２内部に導体挿入孔３に通ずる接続機構収納区画４と、導体接続確認機構収納区画５とを設け、前記接続機構収納区画４には導体挿入孔３ａ、３ｂの内壁の延長面に沿って接続端子板６を装着し、その対向位置に導体抜け止め片８と導体押圧片９とを導体挿入方向にそって順次装着し、前記導体接続確認機構収納区画５には、バネ１３によって付勢された楔運動方向変換機構１４を装着し、前記楔運動方向変換機構１４には表示面１９を有する接続確認表示片１８を一体に設けてなる構成としたものである。
【特許文献２】特開平８−２６４２１７号公報  また、本体１に、電線の芯線を挿入するための電線挿入口４ａと、電線挿入口４ａから挿入された電線の芯線が接続される接続部５とを設けた端子台６である。接続部５に電線の芯線が正常に接続された状態でのみ芯線により作動されて芯線の接続状態を本体１の外面側において表示する表示釦７を設けるものが開示されている。
【特許文献３】登録実用新案第３１０７３２２号公報  更に、本件出願人が先に開示した、ハーネスジョイントボックス１において、下ケース１ｂに設けたコイルスプリング５を収納したコイルスプリング収納部１ｂａと、コイルスプリング収納部の外方に設けたコイルスプリング５が当接するスプリング用当接部６ａと電線用当接部６ｂとマーカー押上部６ｃを設けたスライダー６を収納したスライダー収納部１ｂｂと、スライダー収納部の外方に設けた端子金具２から延設させた接触用端子２ａと係止用端子２ｂとを収納する端子収納部１ｂｃと、上ケース１ａに移動可能に設けたマーカー７とマーカー用コイルスプリング７ａとを収納するマーカー収納部１ａａと、係止用端子２ｂの直上に取外用孔８とを備えたものがある。
【考案の概要】
【考案が解決しようとする課題】
【０００４】
然し乍ら、先に開示された、特許文献１では、筐体２内部に導体挿入孔３に通ずる接続機構収納区画４と、導体接続確認機構収納区画５とを設け、前記接続機構収納区画４には導体挿入孔３ａ、３ｂの内壁の延長面に沿って接続端子板６を装着し、その対向位置に導体抜け止め片８と導体押圧片９とを導体挿入方向にそって順次装着し、前記導体接続確認機構収納区画５には、バネ１３によって付勢された楔運動方向変換機構１４を装着し、前記楔運動方向変換機構１４には表示面１９を有する接続確認表示片１８を一体に設けてなる構成としたものでは、ワンタッチで接続でき、接続の確認もできるものの、筐体２の上下方向に導体を挿入するものであり、昨今汎用されているハーネスジョイントボックスような水平方向に薄い筐体に水平方向からの接続には不向きのものである。
【０００５】
更に、特許文献２では、本体１に、電線の芯線を挿入するための電線挿入口４ａと、電線挿入口４ａから挿入された電線の芯線が接続される接続部５とを設けた端子台６である。接続部５に電線の芯線が正常に接続された状態でのみ芯線により作動されて芯線の接続状態を本体１の外面側において表示する表示釦７を設けるものでは、具体的に構成が記載されておらず不明であるが、接続及び取り外しはワンタッチで可能であり、接続の表示も外部から確認できるものであるが、構造が複雑なものである。
【０００６】
更に、特許文献３では、ハーネスジョイントボックス１において、上ケース１ａに移動可能に設けたマーカー７とマーカー用コイルスプリング７ａとを収納するマーカー収納部１ａａと、係止用端子２ｂの直上に取外用孔８とを備えたものであるが、マーカー７が複数の部材からできており、製造も組込も手間暇係るもので、また、マーカー用コイルスプリング７ａは金属であるため電気的トラブルの要因と成るものであった。
【課題を解決するための手段】
【０００７】
本考案は前記課題に鑑み、鋭意研鑽の結果、これらの課題を解決するもので、請求項１に記載のハーネスジョイントボックスの電線差込確認用のマーカーの出没機構は、平板状の基部と、基部の両端と中央に形成した環状挿通部と、環状挿通部と同芯状に一端を接続させたマーカー用コイルスプリング部と、マーカー用コイルスプリング部の他端と接続させた環状挿通部とマーカー用コイルスプリング部の内周に遊動状態で延設したピン部とを備え、基部と環状挿通部とマーカー用コイルスプリング部とピン部とを合成樹脂で一体に形成したものである。
【０００８】
更に、請求項２に記載のハーネスジョイントボックスの電線差込確認用のマーカーの出没機構は、平板状の基部と、基部の両端と中央に形成した環状挿通部と、環状挿通部と同芯状に一端を接続させたマーカー用コイルスプリング部とを備え、基部と環状挿通部とのマーカー用コイルスプリング部とを合成樹脂で一体に形成すると共に、マーカー用コイルスプリング部と環状挿通部とにマーカーピンを遊動状態で挿通したものである。
【０００９】
更には、請求項３に記載のハーネスジョイントボックスのシャッター機構は、電線を挿通させる電線挿通孔の上面に下方に窪ませて形成した段部と、段部の後方に開口させた矩形状のシャッター挿通孔と、シャッター挿通孔の両側面の上下方向に刻設したスライド用溝と、スライド用溝にスライド自在に挿通させた略板状のシャッター部材の両側に突設したスライド用突起と、シャッター部材に形成した段部の前端部に係止する係止片とを備え、スライド用突起がスライド用溝の下方に位置するとシャッター部材はシャッター挿通孔の中で起立状態となり電線挿通孔を閉鎖し、スライド用突起がスライド用溝の上方に位置すると枢動してシャッター部材は水平状態となりシャッター挿通孔を閉鎖すると共に、シャッター部材は水平状態で電線被覆材の着色を確認するように透明の合成樹脂で形成しているものである。
【考案の効果】
【００１０】
前述の如く構成した本考案のハーネスジョイントボックスにおける電線差込確認用のマーカーの出没機構は、合成樹脂で基部と夫々の環状挿通部と夫々のマーカー用コイルスプリング部と夫々のピン部とを一体に形成したことにより、又、合成樹脂で基部と夫々の環状挿通部と夫々のマーカー用コイルスプリング部とを一体に形成したことにより、部品数を減少させて組込を容易とすると共に金属製のコイルスプリングを排除し、電気的トラブルを解消すると共に、シャッター部材は透明の合成樹脂で形成し、スライド用突起がスライド用溝の下方に位置するとシャッター部材はシャッター挿通孔の中で起立状態となり電線挿通孔を閉鎖し、スライド用突起がスライド用溝の上方に位置すると枢動してシャッター部材は水平状態となりシャッター挿通孔を閉鎖するものであり、透明の合成樹脂で形成しているため電線の挿通時にシャッター部材とシャッター挿通孔とを透して電線の着色された被覆材の色が確認でき、電線の非挿通時には電線挿通孔を閉鎖するもので、防塵機能のみでなく、誤差し等の事故もなくし、組込も容易で接続の確認を容易とするもので、画期的で実用性の高いものである。
【図面の簡単な説明】
【００１１】
【図１】図１は本考案のハーネスジョイントボックスの４分岐型電線の実施例を説明するための平面図である。
【図２】図２は本考案のハーネスジョイントボックスの２分岐型電線の実施例を説明するための上ケースを外した状態の平面図である。
【図３】図３は本考案のハーネスジョイントボックスの実施例を説明するための要部断面図である。
【図４】図４は本考案のハーネスジョイントボックスの実施例のマーカーを説明するための正面図である。
【図５】図５は本考案のハーネスジョイントボックスの次実施例の要部を説明するための正面図である。
【図６】図６は本考案のハーネスジョイントボックスの次実施例の要部を説明するための側面図である。
【図７】図７は本考案のハーネスジョイントボックスの他の実施例のシャッター部材を説明するための側面図である。
【図８】図８は本考案のハーネスジョイントボックスの他の実施例の透視状態を説明するための説明図である。
【考案を実施するための形態】
【実施例１】
【００１２】
以下、本考案のハーネスジョイントボックスの実施の形態を図面によって、具体的に説明する。
【００１３】
本考案はハーネスジョイントボックスに関するものであって、更に詳細には、ハーネスジョイントボックスにおいて電線を差込むことによりワンタッチで電気的接続をし、その接続を確認するマーカーと、電線の非挿通時に電線挿通孔を遮蔽できるシャッターに関するものであり、請求項１に記載のハーネスジョイントボックスは、ハーネスジョイントボックス１において、電線差込確認用のマーカー７の出没機構は、平板状の基部７ａと、該基部７ａの両端と中央に夫々形成した環状挿通部７ｂと、該夫々の環状挿通部７ｂと同芯状に一端を接続させた夫々のマーカー用コイルスプリング部７ｃと、該夫々のマーカー用コイルスプリング部７ｃの他端と夫々接続させ前記環状挿通部７ｂと前記マーカー用コイルスプリング部７ｃの内周に遊動状態で延設した夫々のピン部７ｄとを備え、前記基部７ａと前記夫々の環状挿通部７ｂと前記夫々のマーカー用コイルスプリング部７ｃと前記夫々のピン部７ｄとを合成樹脂で一体に形成したことを特徴とするものである。
【００１４】
即ち、本考案のハーネスジョイントボックス１は後述する電源側と送り側に夫々備えた電線挿通孔３に３芯のケーブルの先端の被覆材を剥がし裸にした３本の電線Ａを同時に挿通させるもので、分岐するハーネスプラグの栓刃を挿通させる栓刃挿通孔４は内側に後述する端子金具２から延設した刃受部を備えたもので少なくとも二組設けており、図１又は図２に図示するように、実施例では４組の栓刃挿通孔４又は２組の栓刃挿通孔４を有するものである。
【００１５】
そして、絶縁性の合成樹脂で形成した上ケース１ａと下ケース１ｂの間に銅製の三組の端子金具２を内装しているものであり、夫々の端子金具２には後述する接触用端子２ａと係止用端子２ｂ及び前記刃受部を備えたもので、周知のハーネスジョイントボックス１と同様のものである。
【００１６】
次に、コイルスプリング収納部１ｂａは下ケース１ｂの電線挿通孔３の延長線上の内方に設けているもので、図３に図示するように、下ケース１ｂの電源側と送り側との夫々の電線挿通孔３の中央にスプリング用固定部を設けコイルスプリング５を収納しているもので、コイルスプリング５は常時外方方向に弾性を付与させるようにしており、後述するスライダー６のスプリング用当接部６ａを弾圧するものである。
【００１７】
次いで、スライダー収納部１ｂｂはコイルスプリング収納部１ｂａの外方に設けており、スライダー６を摺動可能に収納しているもので、スライダー６は、図３に図示するように、コイルスプリング５に弾圧される断面コ字状のスプリング用当接部６ａと、電線Ａの挿通に伴い先端が当接して押圧される電線用当接部６ｂと、後述するマーカー７を押し上げる内側方向が低く外側方向が高いテーパー面を備えたマーカー押上部６ｃを形成しているものである。
【００１８】
更に、端子収納部１ｂｃはスライダー収納部１ｂｂの外方に設けているもので、端子金具２から延設させた電線Ａと接触して電気的接続を行う接触用端子２ａと、電線Ａを係止させる係止用端子２ｂとを電線挿通孔３の内径より中心方向に突出させているもので、図３に図示するように、接触用端子２ａは側面略２字状に形成しており、係止用端子２ｂは電線Ａの抜ける方向に食い込むように傾斜させているものである。
【００１９】
更には、マーカー収納部１ａａは上ケース１ａの電線挿通孔３の延長線上に設け、後述するマーカー７を収納しており、マーカー７のピン部７ｄは上下方向に移動可能なもので、マーカー用コイルスプリング７ａはマーカー７を常時下方向に弾性を付与しており、マーカー７のピン部７ｄの下端は前記スライダー６のマーカー押上部６ｃの上方に突出させた状態を維持させているものである。
【００２０】
そして、電線差込確認用のマーカー７の基部７ａは、合成樹脂で平板状に形成したもので、その基部７ａの両端と中央に夫々環状挿通部７ｂが形成され、夫々のマーカー用コイルスプリング部７ｃは、夫々の環状挿通部７ｂと同芯状に形成され、上端を環状挿通部７ｂと一体に接続され、下端を夫々のピン部７ｄに一体に接続されているもので、夫々のピン部７ｄは夫々環状挿通部７ｂとマーカー用コイルスプリング部７ｃとの内周を遊動状態で摺動可能なものである。
【００２１】
即ち、基部７ａと夫々の環状挿通部７ｂと夫々のマーカー用コイルスプリング部７ｃと夫々のピン部７ｄとを合成樹脂で一体に形成してワンパーツにしたものである。
【００２２】
更には、取外用孔８は上ケース１ａの係止用端子２ｂの直上に穿設しているもので、取外用孔８にドライバー等の刃先を挿通させて係止用端子２ｂを下方に押圧することで、接続を解除するためのものである。
【００２３】
つまり、本考案のハーネスジョイントボックスの電線差込確認構造は、ハーネスジョイントボックス１の電線挿通孔３に棒状の電線Ａを挿通させることにより、端子金具２に延設された接触用端子２ａと係止用端子２ｂとを弾性変形させながら押し下げ、更に挿通させることにより、電線Ａの先端は電線用当接部６ｂに当接してスライダー６を押圧し、スライダー６はコイルスプリング５の弾性に抗してスライドするものである。
【００２４】
そして、スライダー６のスライドにより前記マーカー押上部６ｃがマーカー７のピン部７ｄの下端を押し上げ、マーカー７はマーカー用コイルスプリング７ａの弾性に抗して上ケース１ａの上に露出するもので、ピン部７ｄの頂面には電線Ａの被覆と同じ色を塗布することも可能なものである。
【００２５】
この状態で、係止用端子２ｂは電線Ａの胴周を先端で係止しているものであり、接触用端子２ａと共に電気的接続が維持され、上ケース１ａにはマーカー７が露出して接続状態の確認が容易にできるものである。
【００２６】
更に、電気的接続を解除するには上ケース１ａの係止用端子２ｂの直上に穿設した取外用孔８にドライバー等を挿通させて係止用端子２ｂを押圧して取り外すものであり、スライダー６はコイルスプリング５に押圧されて取り外した状態の図３に図示する左側の状態に戻るものである。
【実施例２】
【００２７】
更に、請求項２に記載のハーネスジョイントボックスは、ハーネスジョイントボックス１において、電線差込確認用のマーカー７の出没機構は、平板状の基部７ａと、該基部７ａの両端と中央に夫々形成した環状挿通部７ｂと、該夫々の環状挿通部７ｂと同芯状に一端を接続させた夫々のマーカー用コイルスプリング部７ｃとを備え、前記夫々のマーカー用コイルスプリング部７ｃと前記環状挿通部７ｂとに夫々マーカーピン７ｅを遊動状態で挿通すると共に、前記基部７ａと前記夫々の環状挿通部７ｂと前記夫々のマーカー用コイルスプリング部７ｃとを合成樹脂で一体に形成したことを特徴とするものである。
【００２８】
そして、実施例２は実施例１と同様な電線差込確認用のマーカー７の出没機構に関するもので、実施例１のピン部７ｄを別部材としたものであり、実施例１と同じ部位の詳述は省略する。
【００２９】
つまり、図５及び図６に図示するように、電線差込確認用のマーカー７の基部７ａは、合成樹脂で平板状に形成したもので、その基部７ａの両端と中央に夫々環状挿通部７ｂが形成され、夫々のマーカー用コイルスプリング部７ｃは、夫々の環状挿通部７ｂと同芯状に形成され、上端を環状挿通部７ｂと一体に接続されているものである。
【００３０】
次に、基部７ａと夫々の環状挿通部７ｂと夫々のマーカー用コイルスプリング部７ｃとを合成樹脂で一体に形成しているもので、夫々のマーカー用コイルスプリング部７ｃと環状挿通部７ｂとに夫々別体の組み込まれたマーカーピン７ｅを遊動状態で挿通しているものである。
【００３１】
次いで、図６に図示するように、電線Ａを挿通することによって、夫々のマーカーピン７ｅの下端を押し上げて夫々のマーカー用コイルスプリング部７ｃの弾性に抗して、マーカー７は上方に突出するものである。
【実施例３】
【００３２】
更には、請求項３に記載のハーネスジョイントボックスは、ハーネスジョイントボックス１において、電線Ａを挿通させる電線挿通孔３の上面に下方に窪ませて形成した段部１ａｂと、該段部１ａｂの後方に開口させた矩形状のシャッター挿通孔１ａｃと、該シャッター挿通孔１ａｃの両側面の上下方向に夫々刻設したスライド用溝１ａｄと、該夫々のスライド用溝１ａｄにスライド自在に挿通させた略板状のシャッター部材９の両側に夫々突設したスライド用突起９ａと、前記シャッター部材９に形成した前記段部１ａｂの前端部に係止する係止片９ｂとを備え、前記スライド用突起９ａが前記スライド用溝１ａｄの下方に位置すると前記シャッター部材９はシャッター挿通孔１ａｃの中で起立状態となり前記電線挿通孔３を閉鎖し、前記スライド用突起９ａが前記スライド用溝１ａｄの上方に位置すると枢動して前記シャッター部材９は水平状態となり前記シャッター挿通孔１ａｃを閉鎖すると共に、前記シャッター部材９は水平状態で電線被覆材の着色を確認するように透明の合成樹脂で形成していることを特徴とするものである。
【００３３】
そして、前述のハーネスジョイントボックス１において、段部１ａｂは上ケース１ａの電線Ａを挿通させる電線挿通孔３の上面に下方に窪ませて形成しているもので、後述するシャッター部材９を収納できるようにシャッター部材９の厚みと段部１ａｂの深さを略同じにしているものである。
【００３４】
次いで、シャッター挿通孔１ａｃは段部１ａｂの後方に開口させた矩形状のもので、スライド用溝１ａｄはシャッター挿通孔１ａｃの巾方向の両側面の上下方向に夫々刻設しているものである。
【００３５】
次に、シャッター部材９は、略板状のもので、夫々のスライド用溝１ａｄにスライド自在に挿通させるスライド用突起９ａを両側に夫々突設すると共に、段部１ａｂの前端部に係止する係止片９ｂとを延設しているものである。
【００３６】
次いで、スライド用突起９ａを摺動自在にスライド用溝１ａｄに挿通させ、図１の左側の電線挿通孔３に図示したように、スライド用突起９ａがスライド用溝１ａｂの下方に位置にスライドさせるとシャッター部材９はシャッター挿通孔１ａｃの中で起立状態となり、電線挿通孔３を閉鎖するものである。
【００３７】
更に、図１の右側の電線挿通孔３に図示したように、スライドさせてスライド用突起９ａがスライド用溝１ａｂの上方に位置すると枢動してシャッター部材９は水平状態となり、シャッター挿通孔１ａｃを閉鎖するものである。
【００３８】
更には、図７に図示するシャッター部材９は透明の合成樹脂で形成しているもので、透明にしたことにより図８に図示するように、シャッター部材９及びシャッター挿通孔１ａｃが窓部となり、電線Ａの被覆材に着色された赤、白、黒等の着色が確認でき、挿通させた電線Ａの状態を確認できるものである。
【産業上の利用可能性】
【００３９】
本考案のハーネスジョイントボックスにおける電線差込確認用のマーカーの出没機構は、合成樹脂で基部と夫々の環状挿通部と夫々のマーカー用コイルスプリング部と夫々のピン部とを一体に形成したことにより、又、合成樹脂で基部と夫々の環状挿通部と夫々のマーカー用コイルスプリング部とを一体に形成したことにより、部品数を減少させて組込を容易とすると共に金属製のコイルスプリングを排除し、電気的トラブルを解消すると共に、シャッター部材は透明の合成樹脂で形成し、スライド用突起がスライド用溝の下方に位置するとシャッター部材はシャッター挿通孔の中で起立状態となり電線挿通孔を閉鎖し、スライド用突起がスライド用溝の上方に位置すると枢動してシャッター部材は水平状態となりシャッター挿通孔を閉鎖するものであり、透明の合成樹脂で形成しているため電線の挿通時にシャッター部材とシャッター挿通孔とを透して電線の着色された被覆材の色が確認でき、電線の非挿通時には電線挿通孔を閉鎖するもので、防塵機能のみでなく、誤差し等の事故もなくし、組込も容易で接続の確認を容易とするハーネスジョイントボックスを提供するものである。
【符号の説明】
【００４０】
Ａ  電線
１  ハーネスジョイントボックス
１ａ    上ケース
１ａａ  マーカー収納部
１ａｂ  段部
１ａｃ  シャッター挿通孔
１ａｄ  スライド溝
１ｂ    下ケース
１ｂａ  コイルスプリング収納部
１ｂｂ  スライダー収納部
１ｂｃ  端子収納部
２      端子金具
２ａ    接触用端子
２ｂ    係止用端子
３      電線挿通孔
４      栓刃挿通孔
５      コイルスプリング
６      スライダー
６ａ    スプリング用当接部
６ｂ    電線用当接部
６ｃ    マーカー押上部
７      マーカー
７ａ    基部
７ｂ    環状挿通部
７ｃ    マーカー用コイルスプリング
７ｄ    ピン部
７ｅ    マーカーピン
８      取外用孔
９      シャッター部材
９ａ    スライド用突起
９ｂ    係止片
【図１】
0003156349.tif 000003
【図２】
0003156349.tif 000004
【図３】
0003156349.tif 000005
【図４】
0003156349.tif 000006
【図５】
0003156349.tif 000007
【図６】
0003156349.tif 000008
【図７】
0003156349.tif 000009
【図８】
0003156349.tif 000010